(57)【要約】【課題】ＮＣＴにおけるメジャメントを実施する場合においても、高精度なメジャメントを実現することができる基地局装置などを提供する。【解決手段】基地局装置１−１〜１−２は、既存のキャリア及び追加のキャリアを使用して無線により通信する無線通信部と、隣接セルリストに含めて、近隣に存在する他の基地局装置が送信するキャリアの周波数バンド幅の情報を、前記無線通信部により、端末装置（移動局装置２１−１〜２１−ｎ、３１−１〜３１−ｍ）へ無線により送信するキャリア情報送信制御部と、を備えることを特徴とする。【選択図】図１
2014138319.tif 000002
【特許請求の範囲】
【請求項１】
既存のキャリア及び追加のキャリアを使用して無線により通信する無線通信部と、
隣接セルリストに含めて、近隣に存在する他の基地局装置が送信するキャリアの周波数バンド幅の情報を、前記無線通信部により、端末装置へ無線により送信するキャリア情報送信制御部と、
を備えることを特徴とする基地局装置。
【請求項２】
既存のキャリア及び追加のキャリアを使用して無線により通信する無線通信部と、
ＭＩＢに含めて、自装置が送信するキャリアの周波数バンド幅の情報を、前記無線通信部により、端末装置へ無線により送信するキャリア情報送信制御部と、
を備えることを特徴とする基地局装置。
【請求項３】
既存のキャリア及び追加のキャリアを使用して無線により通信する無線通信部と、
隣接セルリストに含めて、近隣に存在する他の基地局装置が送信するキャリアのＣＳＩ−ＲＳの位置に関する情報を、前記無線通信部により、端末装置へ無線により送信するキャリア情報送信制御部と、
を備えることを特徴とする基地局装置。
【請求項４】
既存のキャリア及び追加のキャリアを使用して無線により通信する無線通信部と、
前記無線通信部により基地局装置から受信される隣接セルリストに含まれる、近隣に存在する他の基地局装置が送信するキャリアの周波数バンド幅の情報に基づいて、当該周波数バンド幅を使用してメジャメントを行うメジャメント制御部と、
を備えることを特徴とする端末装置。
【請求項５】
既存のキャリア及び追加のキャリアを使用して無線により通信する無線通信部と、
前記無線通信部により基地局装置から受信されるＭＩＢに含まれる、当該基地局装置が送信するキャリアの周波数バンド幅の情報に基づいて、当該周波数バンド幅を使用してメジャメントを行うメジャメント制御部と、
を備えることを特徴とする端末装置。
【請求項６】
既存のキャリア及び追加のキャリアを使用して無線により通信する無線通信部と、
前記無線通信部により基地局装置から受信される隣接セルリストに含まれる、近隣に存在する他の基地局装置が送信するキャリアのＣＳＩ−ＲＳの位置に関する情報に基づいて、ＣＳＩ−ＲＳを使用してメジャメントを行うメジャメント制御部と、
を備えることを特徴とする端末装置。
【請求項７】
複数の基地局装置と端末装置を有し、
前記基地局装置は、隣接セルリストに含めて、近隣に存在する他の基地局装置が送信するキャリアの周波数バンド幅の情報を、前記端末装置へ無線により送信し、
前記端末装置は、前記基地局装置から受信される隣接セルリストに含まれる、近隣に存在する他の基地局装置が送信するキャリアの周波数バンド幅の情報に基づいて、当該周波数バンド幅を使用してメジャメントを行う、
ことを特徴とする通信システム。
【請求項８】
複数の基地局装置と端末装置を有し、
前記基地局装置は、ＭＩＢに含めて、自装置が送信するキャリアの周波数バンド幅の情報を、前記端末装置へ無線により送信し、
前記端末装置は、前記基地局装置から受信されるＭＩＢに含まれる、当該基地局装置が送信するキャリアの周波数バンド幅の情報に基づいて、当該周波数バンド幅を使用してメジャメントを行う、
ことを特徴とする通信システム。
【請求項９】
複数の基地局装置と端末装置を有し、
前記基地局装置は、隣接セルリストに含めて、近隣に存在する他の基地局装置が送信するキャリアのＣＳＩ−ＲＳの位置に関する情報を、前記端末装置へ無線により送信し、
前記端末装置は、前記基地局装置から受信される隣接セルリストに含まれる、近隣に存在する他の基地局装置が送信するキャリアのＣＳＩ−ＲＳの位置に関する情報に基づいて、ＣＳＩ−ＲＳを使用してメジャメントを行う、
ことを特徴とする通信システム。
【請求項１０】
基地局装置は、隣接セルリストに含めて、近隣に存在する他の基地局装置が送信するキャリアの周波数バンド幅の情報を、端末装置へ無線により送信し、
前記端末装置は、前記基地局装置から受信される隣接セルリストに含まれる、近隣に存在する他の基地局装置が送信するキャリアの周波数バンド幅の情報に基づいて、当該周波数バンド幅を使用してメジャメントを行う、
ことを特徴とする通信方法。
【請求項１１】
基地局装置は、ＭＩＢに含めて、自装置が送信するキャリアの周波数バンド幅の情報を、端末装置へ無線により送信し、
前記端末装置は、前記基地局装置から受信されるＭＩＢに含まれる、当該基地局装置が送信するキャリアの周波数バンド幅の情報に基づいて、当該周波数バンド幅を使用してメジャメントを行う、
ことを特徴とする通信方法。
【請求項１２】
基地局装置は、隣接セルリストに含めて、近隣に存在する他の基地局装置が送信するキャリアのＣＳＩ−ＲＳの位置に関する情報を、端末装置へ無線により送信し、
前記端末装置は、前記基地局装置から受信される隣接セルリストに含まれる、近隣に存在する他の基地局装置が送信するキャリアのＣＳＩ−ＲＳの位置に関する情報に基づいて、ＣＳＩ−ＲＳを使用してメジャメントを行う、
ことを特徴とする通信方法。
【発明の詳細な説明】
【技術分野】
【０００１】
本発明は、基地局装置、端末装置、通信システム及び通信方法に関する。
【背景技術】
【０００２】
従来、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で検討されている標準規格の１つとして、ＬＴＥ（Ｌｏｎｇ  Ｔｅｒｍ  Ｅｖｏｌｕｔｉｏｎ）が知られている。ＬＴＥは順次改訂されている。
ＬＴＥでは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）に基づくアクセス方式を採用している。また、ＬＴＥでは、下りリンクのＯＦＤＭ信号には、時間同期をとるための制御信号（ＳＳ：Ｓｙｎｃｈｒｏｎｉｚａｔｉｏｎ  Ｓｉｇｎａｌｓ）や、伝搬路を推定するための制御信号（ＲＳ：Ｒｅｆｅｒｅｎｃｅ  Ｓｉｇｎａｌｓ）が挿入されている。
【０００３】
ＬＴＥにおいて、ＲＳは目的に応じて複数種類が定義されている。ＲＳとしては、例えば、復調、チャネルメジャメント、受信電力測定を目的とした共通参照信号（ＣＲＳ：Ｃｏｍｍｏｎ  ＲＳ）や、チャネルメジャメントを主な目的としたＣＳＩ−ＲＳ（Ｃｈａｎｎｅｌ  Ｓｔａｔｅ  Ｉｎｆｏｒｍａｔｉｏｎ  ＲＳ）や、復調を主な目的としたＤＭ−ＲＳ（ＤｅＭｏｄｕｌａｔｉｏｎ  ＲＳ）などがある。
ＲＳについては、一般的に、アンテナ毎に異なる領域にＲＳが挿入されるため、アンテナの数が増加するごとにＲＳオーバーヘッドが増大するといった問題がある。このようなＲＳオーバーヘッドを削減することを目的とし、ＣＲＳの挿入密度を低くした後方互換性のないキャリアであるニューキャリアタイプ（ＮＣＴ：Ｎｅｗ  Ｃａｒｒｉｅｒ  Ｔｙｐｅ）を導入することが提案されている。
ＮＣＴにおけるＣＲＳは、５個のサブフレームに一度送信される。また、全てのシステム帯域でなく制限された帯域でＣＲＳを送信することも可能である。なお、１個のサブフレームは１ｍｓの時間の長さである。
【０００４】
一方、従来のＬＴＥでは、ＣＲＳを用いたメジャメントが行われていた。
メジャメントとは、サービングセルや隣接セルについて、受信電力（ＲＳＲＰ：Ｒｅｆｅｒｅｎｃｅ  Ｓｉｇｎａｌ  Ｒｅｃｅｉｖｅｄ  Ｐｏｗｅｒ）や、干渉を考慮した受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）を測定する移動局装置の動作である。
ＮＣＴにおいては、ＣＲＳの挿入密度が低くされているため、従来のメジャメントを実施することができない。
【０００５】
ここで、ＮＣＴと区別するために、従来のＣＲＳの構成を有するキャリアを互換キャリアと呼称する。
図１０は、互換キャリアとＮＣＴとの違いを示すための図である。なお、図１０の例では、ＮＣＴにおいてＣＲＳが５ｍｓ毎に全ての帯域で送信されることを想定している。
図１０には、互換キャリア１００１のバンド（周波数帯域）Ｘの構成例と、ＮＣＴ１００２のバンド（周波数帯域）Ｙの構成例を示してある。
互換キャリア１００１では、各サブフレームにおいて、物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）と物理下り共用データチャネル（ＰＤＳＣＨ：Ｐｈｙｓｉｃａｌ  Ｄｏｗｎｌｉｎｋ  Ｓｈａｒｅｄ  Ｃｈａｎｎｅｌ）が送信され、ＣＲＳが配置される。また、互換キャリア１００１では、中央の６個のリソースブロック（ＲＢ：Ｒｅｓｏｕｒｃｅ  Ｂｌｏｃｋ）において、ＰＳＳ（Ｐｒｉｍａｒｙ  Ｓｙｎｃｈｒｏｎｉｚａｔｉｏｎ  Ｓｉｇｎａｌ）／ＳＳＳ（Ｓｅｃｏｎｄａｒｙ  Ｓｙｎｃｈｒｏｎｉｚａｔｉｏｎ  Ｓｉｇｎａｌ）が５ｍｓ（５個のサブフレーム）毎に送信される。
ＮＣＴ１００２では、各サブフレームにおいて、ＰＤＳＣＨが送信される。また、ＮＣＴ１００２では、ＰＳＳ／ＳＳＳ及びＣＲＳが５ｍｓ（５個のサブフレーム）毎に送信される。
【０００６】
これに対し、非特許文献１では、ＣＳＩ−ＲＳを利用したメジャメントの実施が提案されている（非特許文献１参照。）。更には、ＮＣＴに新たな参照信号（ＴＲＳ：Ｔｒａｃｋｉｎｇ  ＲＳ）を挿入して、これを利用したメジャメントを実施することが提案されている（非特許文献１参照。）。
しかしながら、ＣＳＩ−ＲＳを用いる場合には、ＣＳＩ−ＲＳは最短で５個のサブフレームに一度しか基地局装置から移動局装置へ送信することができないため、検出精度に問題が発生する。
【０００７】
また、ＣＲＳはその送信を行うリソースエレメント（ＲＥ：Ｒｅｓｏｕｒｃｅ  Ｅｌｅｍｅｎｔ）や位相情報が物理セル識別子（ＰＣＩ：Ｐｈｙｓｉｃａｌ  Ｃｅｌｌ  ＩＤ）によって一意に決定され、ＰＳＳ／ＳＳＳを検出する段階でＣＲＳの検出が可能であった。ここで、リソースエレメント（ＲＥ）は、サブキャリア・ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで分割した時間周波数の１単位である。
しかしながら、ＣＳＩ−ＲＳを用いる場合には、基地局装置から、別途、ＲＲＣ（Ｒａｄｉｏ  Ｒｅｓｏｕｒｃｅ  Ｃｏｎｔｒｏｌ）シグナリングで通知されるまで、移動局装置では、ＲＥの位置や送信サブフレームを同定（特定）することができないという問題があった。
【先行技術文献】
【非特許文献】
【０００８】
【非特許文献１】Ｒ１−１２５０３７  Ｐａｎｔｅｃｈ、“ＲＲＭ  ｍｅａｓｕｒｅｍｅｎｔ  ｉｎ  ｎｅｗ  ｃａｒｒｉｅｒ  ｔｙｐｅ”、Ｎｅｗ  Ｏｒｌｅａｎｓ、ＵＳＡ、１２ｔｈ−１６ｔｈ  Ｎｏｖｅｍｂｅｒ  ２０１２
【発明の概要】
【発明が解決しようとする課題】
【０００９】
上述のように、ＮＣＴにおけるメジャメントを実施する場合、つまり、ＣＲＳの挿入密度が低い（すなわち、ＣＲＳに利用するＲＳの数が少ない）場合には、高精度なメジャメントを実現することが難しいという問題があった。
【００１０】
本発明は、このような事情を考慮してなされたもので、ＮＣＴにおけるメジャメントを実施する場合においても、高精度なメジャメントを実現することができる基地局装置、端末装置、通信システム及び通信方法を提供することを課題とする。
【課題を解決するための手段】
【００１１】
（１）上記の課題を解決するために、本発明に係る基地局装置は、既存のキャリア及び追加のキャリアを使用して無線により通信する無線通信部と、隣接セルリストに含めて、近隣に存在する他の基地局装置が送信するキャリアの周波数バンド幅の情報を、前記無線通信部により、端末装置へ無線により送信するキャリア情報送信制御部と、を備えることを特徴とする。
【００１２】
（２）上記の課題を解決するために、本発明に係る基地局装置は、既存のキャリア及び追加のキャリアを使用して無線により通信する無線通信部と、ＭＩＢ（Ｍａｓｔｅｒ  Ｉｎｆｏｍａｔｉｏｎ  Ｂｌｏｃｋ）に含めて、自装置が送信するキャリアの周波数バンド幅の情報を、前記無線通信部により、端末装置へ無線により送信するキャリア情報送信制御部と、を備えることを特徴とする。
【００１３】
（３）上記の課題を解決するために、本発明に係る基地局装置は、既存のキャリア及び追加のキャリアを使用して無線により通信する無線通信部と、隣接セルリストに含めて、近隣に存在する他の基地局装置が送信するキャリアのＣＳＩ−ＲＳの位置に関する情報を、前記無線通信部により、端末装置へ無線により送信するキャリア情報送信制御部と、を備えることを特徴とする。
【００１４】
（４）上記の課題を解決するために、本発明に係る端末装置は、既存のキャリア及び追加のキャリアを使用して無線により通信する無線通信部と、前記無線通信部により基地局装置から受信される隣接セルリストに含まれる、近隣に存在する他の基地局装置が送信するキャリアの周波数バンド幅の情報に基づいて、当該周波数バンド幅を使用してメジャメントを行うメジャメント制御部と、を備えることを特徴とする。
【００１５】
（５）上記の課題を解決するために、本発明に係る端末装置は、既存のキャリア及び追加のキャリアを使用して無線により通信する無線通信部と、前記無線通信部により基地局装置から受信されるＭＩＢに含まれる、当該基地局装置が送信するキャリアの周波数バンド幅の情報に基づいて、当該周波数バンド幅を使用してメジャメントを行うメジャメント制御部と、を備えることを特徴とする。
【００１６】
（６）上記の課題を解決するために、本発明に係る端末装置は、既存のキャリア及び追加のキャリアを使用して無線により通信する無線通信部と、前記無線通信部により基地局装置から受信される隣接セルリストに含まれる、近隣に存在する他の基地局装置が送信するキャリアのＣＳＩ−ＲＳの位置に関する情報に基づいて、ＣＳＩ−ＲＳを使用してメジャメントを行うメジャメント制御部と、を備えることを特徴とする。
【００１７】
（７）上記の課題を解決するために、本発明に係る通信システムは、複数の基地局装置と端末装置を有し、前記基地局装置は、隣接セルリストに含めて、近隣に存在する他の基地局装置が送信するキャリアの周波数バンド幅の情報を、前記端末装置へ無線により送信し、前記端末装置は、前記基地局装置から受信される隣接セルリストに含まれる、近隣に存在する他の基地局装置が送信するキャリアの周波数バンド幅の情報に基づいて、当該周波数バンド幅を使用してメジャメントを行う、ことを特徴とする。
【００１８】
（８）上記の課題を解決するために、本発明に係る通信システムは、複数の基地局装置と端末装置を有し、前記基地局装置は、ＭＩＢに含めて、自装置が送信するキャリアの周波数バンド幅の情報を、前記端末装置へ無線により送信し、前記端末装置は、前記基地局装置から受信されるＭＩＢに含まれる、当該基地局装置が送信するキャリアの周波数バンド幅の情報に基づいて、当該周波数バンド幅を使用してメジャメントを行う、ことを特徴とする。
【００１９】
（９）上記の課題を解決するために、本発明に係る通信システムは、複数の基地局装置と端末装置を有し、前記基地局装置は、隣接セルリストに含めて、近隣に存在する他の基地局装置が送信するキャリアのＣＳＩ−ＲＳの位置に関する情報を、前記端末装置へ無線により送信し、前記端末装置は、前記基地局装置から受信される隣接セルリストに含まれる、近隣に存在する他の基地局装置が送信するキャリアのＣＳＩ−ＲＳの位置に関する情報に基づいて、ＣＳＩ−ＲＳを使用してメジャメントを行う、ことを特徴とする。
【００２０】
（１０）上記の課題を解決するために、本発明に係る通信方法は、基地局装置は、隣接セルリストに含めて、近隣に存在する他の基地局装置が送信するキャリアの周波数バンド幅の情報を、端末装置へ無線により送信し、前記端末装置は、前記基地局装置から受信される隣接セルリストに含まれる、近隣に存在する他の基地局装置が送信するキャリアの周波数バンド幅の情報に基づいて、当該周波数バンド幅を使用してメジャメントを行う、ことを特徴とする。
【００２１】
（１１）上記の課題を解決するために、本発明に係る通信方法は、基地局装置は、ＭＩＢに含めて、自装置が送信するキャリアの周波数バンド幅の情報を、端末装置へ無線により送信し、前記端末装置は、前記基地局装置から受信されるＭＩＢに含まれる、当該基地局装置が送信するキャリアの周波数バンド幅の情報に基づいて、当該周波数バンド幅を使用してメジャメントを行う、ことを特徴とする。
【００２２】
（１２）上記の課題を解決するために、本発明に係る通信方法は、基地局装置は、隣接セルリストに含めて、近隣に存在する他の基地局装置が送信するキャリアのＣＳＩ−ＲＳの位置に関する情報を、端末装置へ無線により送信し、前記端末装置は、前記基地局装置から受信される隣接セルリストに含まれる、近隣に存在する他の基地局装置が送信するキャリアのＣＳＩ−ＲＳの位置に関する情報に基づいて、ＣＳＩ−ＲＳを使用してメジャメントを行う、ことを特徴とする。
【発明の効果】
【００２３】
本発明によれば、ＮＣＴにおけるメジャメントを実施する場合においても、高精度なメジャメントを実現することができる。
【図面の簡単な説明】
【００２４】
【図１】本発明の一実施形態に係る通信システムの概略的な構成を示すブロック図である。
【図２】本発明の一実施形態に係る移動局装置の概略的な構成を示すブロック図である。
【図３】本発明の一実施形態に係る基地局装置の概略的な構成を示すブロック図である。
【図４】本発明の第１実施形態に係る基地局装置と移動局装置において行われる処理の手順の一例を示すシーケンス図である。
【図５】本発明の第２実施形態に係る基地局装置と移動局装置において行われる処理の手順の一例を示すシーケンス図である。
【図６】本発明の第３実施形態に係る基地局装置と移動局装置において行われる処理の手順の一例を示すシーケンス図である。
【図７】本発明の第３実施形態に係るＬＴＥの下りリンクにおいてＣＳＩ−ＲＳが送信される位置の一例を示す図である。
【図８】本発明の第３実施形態に係るＣＳＩ−ＲＳについて複数のリソースインデックスを指定する場合の一例を示す図である。
【図９】本発明の第３実施形態に係るＣＳＩ−ＲＳについて複数のサブフレームオフセットを指定する場合の一例を示す図である。
【図１０】互換キャリアとＮＣＴとの違いを示すための図である。
【発明を実施するための形態】
【００２５】
以下、図面を参照し、本発明の実施形態について説明する。
＜本実施形態に係る通信システムの概略的な構成＞
図１は、本発明の一実施形態に係る通信システムの概略的な構成を示すブロック図である。
本実施形態に係る通信システムは、複数の基地局装置１−１〜１−２と、複数の基地局装置１−１〜１−２の間を互いに直接又は間接に通信することが可能に接続する複数の回線３−１〜３−３と、複数の移動局装置（端末装置の一例）２１−１〜２１−ｎ、３１−１〜３１−ｍ（ｎ、ｍはそれぞれ１以上の整数）を備える。また、図１には、各基地局装置１−１〜１−２のセル（通信領域）１１−１〜１１−２を示してある。
【００２６】
ここで、通信システムにおいて、基地局装置の数や、基地局装置の間を接続する回線の数や、移動局装置の数としては、それぞれ、様々な数が用いられてもよい。なお、図１の例では、基地局装置１−１のセル１１−１にｎ個の移動局装置２１−１〜２１−ｎが存在しており、基地局装置１−２のセル１１−２にｍ個の移動局装置３１−１〜３１−ｍが存在している。
また、各回線３−１〜３−３としては、例えば、有線の通信の回線が用いられてもよく、又は、無線の通信の回線が用いられてもよい。
【００２７】
＜本実施形態に係る移動局装置の概略的な構成＞
図２は、本発明の一実施形態に係る移動局装置の概略的な構成を示すブロック図である。本実施形態では、各移動局装置２１−１〜２１−ｎ、３１−１〜３１−ｍは同様な構成を有し同様な動作を行うため、これらをまとめて移動局装置２１として説明する。
本実施形態に係る移動局装置２１は、アンテナ１０１と、無線通信部１０２と、入力部１０３と、出力部１０４と、記憶部１０５と、制御部１０６を備える。
制御部１０６は、メジャメント制御部２０１を備える。
【００２８】
アンテナ１０１は、無線の信号を通信（送信及び受信）する。
無線通信部１０２は、送信対象の信号を処理してアンテナ１０１から無線により送信し、アンテナ１０１により受信された無線の信号を処理する。無線通信部１０２は、例えば、基地局装置（本実施形態では、基地局装置１−１〜１−２）との間で無線により通信する。無線通信部１０２は、例えば、古い型の移動局装置においては、既存のキャリア（のみ）を使用して無線により通信し、また、新しい型の移動局装置においては、既存のキャリア及び追加のキャリアを使用して無線により通信する。
入力部１０３は、外部からの入力を行う。入力部１０３は、例えば、ユーザ（人）により行われる操作を受け付ける操作部を有する。操作部は、例えば、タッチパネル或いはキーなどから構成される。また、入力部１０３は、例えば、外部から音（例えば、音声）を入力する音声入力部を有する。また、入力部１０３は、例えば、外部のメモリ或いは装置などからデータを入力するデータ入力部を有する。
出力部１０４は、外部への出力を行う。出力部１０４は、例えば、情報を画面に表示する表示部を有する。表示部は、例えば、液晶画面などから構成される。また、出力部１０４は、例えば、外部へ音（例えば、音声）を出力する音声出力部を有する。また、出力部１０４は、例えば、外部のメモリ或いは装置などへデータを出力するデータ出力部を有する。
記憶部１０５は、各種の情報を記憶する。記憶部１０５は、例えば、メモリから構成される。記憶部１０５は、例えば、制御部１０６などのプロセッサにより処理されるプログラムを記憶する。
制御部１０６は、各種の処理や制御を行う。
【００２９】
メジャメント制御部２０１は、一構成例（第１実施形態）として、無線通信部１０２により基地局装置１−１〜１−２から受信される隣接セルリスト（ＮＣＬ：Ｎｅｉｇｈｂｏｒ  Ｃｅｌｌ  Ｌｉｓｔ）に含まれる、近隣に存在する他の基地局装置が送信するキャリアの周波数バンド幅の情報に基づいて、当該周波数バンド幅を使用してメジャメントを行う。
メジャメント制御部２０１は、他の一構成例（第２実施形態）として、無線通信部１０２により基地局装置１−１〜１−２から受信されるＭＩＢに含まれる、当該基地局装置１−１〜１−２が送信するキャリアの周波数バンド幅の情報に基づいて、当該周波数バンド幅を使用してメジャメントを行う。
メジャメント制御部２０１は、更に他の一構成例（第３実施形態）として、無線通信部１０２により基地局装置１−１〜１−２から受信される隣接セルリスト（ＮＣＬ）に含まれる、近隣に存在する他の基地局装置が送信するキャリアのＣＳＩ−ＲＳの位置に関する情報に基づいて、ＣＳＩ−ＲＳを使用してメジャメントを行う。
【００３０】
＜本実施形態に係る基地局装置の概略的な構成＞
図３は、本発明の一実施形態に係る基地局装置の概略的な構成を示すブロック図である。本実施形態では、各基地局装置１−１〜１−２は同様な構成を有し同様な動作を行うため、これらをまとめて基地局装置１として説明する。
本実施形態に係る基地局装置１は、アンテナ１２１と、無線通信部１２２と、通信部１２３と、記憶部１２４と、制御部１２５を備える。
制御部１２５は、キャリア情報送信制御部３０１を備える。
【００３１】
アンテナ１２１は、無線の信号を通信（送信及び受信）する。
無線通信部１２２は、送信対象の信号を処理してアンテナ１２１から無線により送信し、アンテナ１２１により受信された無線の信号を処理する。無線通信部１２２は、例えば、移動局装置（本実施形態では、移動局装置２１−１〜２１−ｎ、３１−１〜３１−ｍ）との間で無線により通信する。無線通信部１２２は、本実施形態では、既存のキャリア及び追加のキャリアを使用して無線により通信する。
通信部１２３は、回線（本実施形態では、回線３−１〜３−３）を介して、他の基地局装置との間で情報を通信（送信及び受信）する。この通信は、例えば、有線の回線を介して行われてもよく、又は、無線の回線を介して行われてもよい。
記憶部１２４は、各種の情報を記憶する。記憶部１２４は、例えば、メモリから構成される。記憶部１２４は、例えば、制御部１２５などのプロセッサにより処理されるプログラムを記憶する。また、記憶部１２４は、例えば、無線通信が可能に接続している移動局装置に関する情報（例えば、管理するための情報）を記憶する。
制御部１２５は、各種の処理や制御を行う。
【００３２】
キャリア情報送信制御部３０１は、一構成例（第１実施形態）として、隣接セルリスト（ＮＣＬ）に含めて、近隣に存在する他の基地局装置が送信するキャリアの周波数バンド幅の情報を、無線通信部１２２により、移動局装置２１−１〜２１−ｎ、３１−１〜３１−ｍへ無線により送信する。
キャリア情報送信制御部３０１は、他の一構成例（第２実施形態）として、ＭＩＢに含めて、自装置が送信するキャリアの周波数バンド幅の情報を、無線通信部１２２により、移動局装置２１−１〜２１−ｎ、３１−１〜３１−ｍへ無線により送信する。
キャリア情報送信制御部３０１は、更に他の一構成例（第３実施形態）として、隣接セルリスト（ＮＣＬ）に含めて、近隣に存在する他の基地局装置が送信するキャリアのＣＳＩ−ＲＳの位置に関する情報を、無線通信部１２２により、移動局装置２１−１〜２１−ｎ、３１−１〜３１−ｍへ無線により送信する。
【００３３】
［第１実施形態］
第１実施形態を説明する。
本実施形態では、基地局装置１−１〜１−２（例えば、ｅＮＢ：Ｅ−ＵＴＲＡＮ  ＮｏｄｅＢ）から無線により送信される信号を移動局装置２１−１〜２１−ｎ、３１−１〜３１−ｍ（ＵＥ：Ｕｓｅｒ  Ｅｑｕｉｐｍｅｎｔ）が受信する下りリンクの通信を想定する。なお、下りリンクと上りリンクを逆にして適用することも可能である。
更に、本実施形態では、アクセススキームとして、周波数領域での割り当てを実施するＯＦＤＭＡ若しくはＳＣ−ＦＤＭＡ（Ｓｉｎｇｌｅ  Ｃａｒｒｉｅｒ  −  Ｆｒｅｑｕｅｎｃｙ  Ｄｉｖｉｓｉｏｎ  Ｍｕｌｔｉｐｌｅ  Ａｃｃｅｓｓ）を想定する。ここでは、簡単のため、１個の基地局装置Ａから送信される信号を１個の移動局装置Ｂが受信することを想定して説明するが、他の例として、この信号を受信する２個以上の移動局装置が存在する場合においても適用することが可能であり、その一般性は失われない。
【００３４】
なお、下りリンク（ＤＬ：Ｄｏｗｎ  Ｌｉｎｋ）は、基地局装置１−１〜１−２から移動局装置２１−１〜２１−ｎ、３１−１〜３１−ｍへの方向の通信を表し、上りリンク（ＵＬ：Ｕｐ  Ｌｉｎｋ）は、移動端末装置２１−１〜２１−ｎ、３１−１〜３１−ｍから基地局装置１−１〜１−２への方向の通信を表す。
【００３５】
図４は、本実施形態に係る基地局装置Ａと移動局装置Ｂにおいて行われる処理の手順の一例を示すシーケンス図である。
基地局装置Ａは、移動局装置Ｂに対して、既存キャリア（互換キャリア）と同期するための信号（既存キャリアの同期信号）を無線送信して報知する（処理Ｔ１）。
ここで、「報知する」とは、複数の移動局装置に対して共通の信号を送信することを表す。また、報知される信号は、本実施形態では、ＬＴＥで定義された同期用信号であるＰＳＳ（Ｐｒｉｍａｒｙ  Ｓｙｎｃｈｒｏｎｉｚａｔｉｏｎ  Ｓｉｇｎａｌ）／ＳＳＳ（Ｓｅｃｏｎｄａｒｙ  Ｓｙｎｃｈｒｏｎｉｚａｔｉｏｎ  Ｓｉｇｎａｌ）であり、例えば、ＣＲＳなども含められる。
【００３６】
基地局装置Ａから無線送信された既存キャリア（互換キャリア）の同期信号を受信した移動局装置Ｂは、基地局装置Ａが送信する信号に関して時間、周波数の同期（既存キャリア（互換キャリア）との時間・周波数の同期）を実施する（処理Ｔ２）。この処理にはＰＳＳ、ＳＳＳ、ＣＲＳなどが利用される。
この過程において、移動局装置Ｂは、互換キャリアの周波数帯域幅、つまり、本実施形態では周波数リソースのブロック（ＲＢ）の数を判定（判別）する。
【００３７】
このような同期処理が完了すると、同一の周波数バンド・他の周波数バンドを含む隣接セルのメジャメントを実施することが可能である。
ここで、メジャメントとは、他のセルのキャリアについて参照信号の受信電力（ＲＳＲＰ）や参照信号の受信品質（ＲＳＲＱ）などを測定することを意味する。これらの処理のステップが完了することで、移動局装置Ｂは、基地局装置Ａから送信される物理下りリンク共通チャネル（ＰＤＳＣＨ）の信号を受信することが可能となる。
以降では、このような互換キャリアをサービングセルと呼称する。
【００３８】
基地局装置Ａは、移動局装置Ｂや、その他の移動局装置に対して、共通の報知情報である隣接セルリスト（ＮＣＬ）の情報を含む信号を無線送信する。ここで、ＮＣＬには、隣接セルの周波数バンドの情報や、隣接セルの物理セル識別子（ＰＣＩ）の情報が含められる。更に、本実施形態では、基地局装置Ａは、これらの情報に追加して、ＮＣＬに、このＰＣＩが運用するバンド幅（帯域の幅）の情報を含めて、移動局装置Ｂへ通知する（処理Ｔ３）。
【００３９】
このようなＮＣＬの情報を含む信号を受信した移動局装置Ｂは、隣接セル（ＮＣＴ）の検出及びメジャメントを実施する（処理Ｔ４）。
ここで、移動局装置Ｂでは、互換キャリアにおいて、メジャメントの段階ではバンド幅を知る（検出する）ことができなかったため、ＬＴＥの最低のバンド幅である６個のＲＢしか使用することができなかったが、本実施形態では、ＮＣＬと同時にバンド幅を基地局装置Ａから移動局装置Ｂへ通知することにより、メジャメントに利用することができるＣＲＳのバンド幅を拡張することができる。つまり、ＮＣＴによるメジャメントの精度を向上させることが可能である。
【００４０】
また、移動局装置Ｂにおいて実施するメジャメントの処理としては、例えば、互換キャリであるか又はＮＣＴであるかに応じて、メジャメントの方法を変えることが可能である。
具体的に、一例として、移動局装置Ｂは、互換キャリアのメジャメントを実施する場合には、全てのサブフレームにおける、中心の６個のＲＢの帯域を使用するメジャメントを実施し（例えば、図１０に示される互換キャリア１００１を参照。）、一方、ＮＣＴのメジャメントを実施する場合には、５ｍｓ（５個のサブフレーム）に一度送信されるＣＲＳを用いた、全ての帯域のＣＲＳを使用するメジャメントを実施する（例えば、図１０に示されるＮＣＴ１００２を参照。）。
なお、互換キャリアであるか又はＮＣＴであるかを区別する方法として、例えば、ＮＣＬで通知されるＰＣＩに対応するキャリアタイプの情報（互換キャリアであるか又はＮＣＴであるかを示す情報）を付加して、基地局装置Ａから移動局装置Ｂへ通知することができる。
【００４１】
移動局装置Ｂは、メジャメントを実施して、基地局装置Ａに対してレポートを報告する条件が満たされた場合には、メジャメントの結果の情報を含む信号（メジャメントレポートの信号）を基地局装置Ａへ無線送信して報告する（処理Ｔ５）。
【００４２】
以上のように、本実施形態に係る通信システムでは、ＣＲＳが全てのサブフレームで送信される既存キャリア（互換キャリア）及び所定数（ここでは、２以上の数）のサブフレームに一度だけＣＲＳが送信される新キャリア（ＮＣＴ）を使用して無線送信する基地局装置１−１〜１−２と、既存キャリア（互換キャリア）及び新キャリア（ＮＣＴ）の受信電力などを測定して当該測定の結果の情報を基地局装置１−１〜１−２へ無線送信する移動局装置２１−１〜２１−ｎ、３１−１〜３１−ｍを有する。
そして、基地局装置１−１〜１−２は、移動局装置２１−１〜２１−ｎ、３１−１〜３１−ｍに対して、周波数バンドを表す情報と、近隣に存在する基地局装置の物理セル識別子（ＰＣＩ）の情報と、前記基地局装置が送信するキャリアの周波数バンド幅の情報（本実施形態では、ＮＣＬの情報）を無線送信する。このような周波数バンド幅の情報を受信した移動局装置２１−１〜２１−ｎ、３１−１〜３１−ｍは、受信した周波数バンド幅の情報で示されたバンド幅でＣＲＳの受信電力などの計測（メジャメント）を行い、当該計測の結果の情報を隣接基地局装置の物理セル識別子（ＰＣＩ）とともに基地局装置１−１〜１−２へ無線送信する。
ここで、本実施形態に係る通信システムでは、基地局装置１−１〜１−２は、周波数バンド幅の情報を隣接セルリスト（ＮＣＬ）に含めて、移動局装置２１−１〜２１−ｎ、３１−１〜３１−ｍへ通知する。
【００４３】
従って、本実施形態に係る通信システムによると、ＣＲＳの送信頻度が低いＮＣＴにおけるメジャメントを実施する場合においても、例えば従来と比べて広い周波数帯域を使用して、高精度なメジャメントを実現することができる。このように、本実施形態に係る通信システムによると、割り当てられた周波数スペクトルを有効に利用することができ、柔軟な方法で新たなスペクトル（追加のスペクトル）を利用することができる。
なお、本実施形態に係る通信システムでは、例えば、移動局装置２１−１〜２１−ｎ、３１−１〜３１−ｍにおいて、既存キャリア（互換キャリア）についても、ＮＣＴについても、同様な方法でメジャメントを実施する構成とすることも可能である。
【００４４】
［第２実施形態］
第２実施形態を説明する。
本実施形態では、主に、第１実施形態とは異なる部分について詳しく説明し、第１実施形態と同様な部分については詳しい説明を省略する。
図５は、本実施形態に係る基地局装置Ａと移動局装置Ｂにおいて行われる処理の手順の一例を示すシーケンス図である。
なお、図５に示される（処理Ｔ２１）、（処理Ｔ２２）、（処理Ｔ２６）は、それぞれ、図４に示される（処理Ｔ１）、（処理Ｔ２）、（処理Ｔ５）と同様な処理である。
【００４５】
基地局装置Ａは、移動局装置Ｂに対して、既存キャリア（互換キャリア）と同期するための信号（既存キャリアの同期信号）を無線送信して報知する（処理Ｔ２１）。
基地局装置Ａから無線送信された既存キャリア（互換キャリア）の同期信号を受信した移動局装置Ｂは、基地局装置Ａが送信する信号に関して時間、周波数の同期（既存キャリア（互換キャリア）との時間・周波数の同期）を実施する（処理Ｔ２２）。
この過程において、移動局装置Ｂは、互換キャリアの周波数帯域幅、つまり、本実施形態では周波数リソースのブロック（ＲＢ）の数を判定（判別）する。
【００４６】
このような同期処理が完了すると、同一の周波数バンド・他の周波数バンドを含む隣接セルのメジャメントを実施することが可能である。
基地局装置Ａは、移動局装置Ｂや、その他の移動局装置に対して、共通の報知情報である隣接セルリスト（ＮＣＬ）の情報を含む信号を無線送信して通知する（処理Ｔ２３）。
【００４７】
隣接セルの基地局装置（ここの（処理Ｔ２４）では、基地局装置Ａは隣接セルの基地局装置であるとする）は、当該隣接セルのＮＣＴについて、ＭＩＢの情報を含む信号を移動局装置Ｂへ無線送信して報知する（処理Ｔ２４）。本実施形態では、各基地局装置は、このＭＩＢの情報を含む信号の無線送信（報知）を定期的に行っている。
ここで、第１実施形態では、移動局装置Ｂにより隣接セルの帯域幅を検出するための情報を、サービングセルである互換キャリアを使用して通知する構成としたが、本実施形態では、移動局装置Ｂにより隣接セルの帯域幅を検出するための情報を、当該隣接セル自体から報知情報（本実施形態では、ＭＩＢの情報）として通知する構成としている。
【００４８】
ＮＣＬの情報を含む信号及びＭＩＢの情報を含む信号を受信する移動局装置Ｂは、隣接セルの送信帯域幅の検出と、隣接セル（ＮＣＴ）の検出及びメジャメントを行う（処理Ｔ２５）。
具体的には、移動局装置Ｂは、受信したＮＣＬの情報を使用して、隣接セルをサーチする。移動局装置Ｂは、隣接セルのＰＳＳ／ＳＳＳを検出すると、その後に、ＭＩＢを受信して復号し、受信したＭＩＢに含まれている情報の一つであるバンド幅の情報（バンド幅情報）を取得する。
【００４９】
ここで、バンド幅情報とは、ＭＩＢの情報を送信するキャリアが運用されているバンド幅（帯域幅）の情報である。
本実施形態では、ＭＩＢの情報はキャリアの中心の６ＲＢで送信されているため、ＭＩＢの情報を取得する前の状態では移動局装置Ｂは６ＲＢのみしか受信しないが、移動局装置Ｂは、このようなバンド幅情報を取得することにより、運用されている最大の周波数バンド幅の信号を受信できるようになる。なお、移動局装置Ｂは、例えば、ＭＩＢの情報を復号する際にマルチパスフェージングの影響を受けた信号を等化する必要があり、この等化を行うために使用する伝搬路の情報をＣＲＳに基づいて取得する。ここで、一例として、ＣＲＳが送信されるサブフレームとＭＩＢが送信されるサブフレームを一致させる構成とすると、ＭＩＢが送信されたタイミングにおけるチャネル推定の精度を向上させることが可能である。
【００５０】
なお、移動局装置Ｂでは、異なる周波数バンドにおいて隣接セルの検出を行う場合には、メジャメントギャップ（Ｍｅａｓｕｒｅｍｅｎｔ  Ｇａｐ）として規定された時間内でしか、この隣接セルの下りリンクの信号を受信することができない。具体的に、ＬＴＥでは、メジャメントギャップは６ｍｓで定義される一方、ＭＩＢの送信周期は１０ｍｓ単位であるため、移動局装置Ｂは、メジャメントギャップ中にＭＩＢを受信することができない可能性がある。
このため、本実施形態では、移動局装置Ｂにおいて、ＮＣＴのメジャメントを実施する際には、メジャメントギャップを１０ｍｓ以上に拡張する構成とすること、又は、メジャメントギャップを設けずに、周波数バンドが異なる信号の受信を可能にする構成とすることにより、ＭＩＢで送信されるバンド幅の情報を検出することを可能とする。
これらの処理の後に、移動局装置Ｂは、隣接セル（ＮＣＴ）の検出及びメジャメントを実施する。
【００５１】
移動局装置Ｂは、メジャメントを実施して、基地局装置Ａに対してレポートを報告する条件が満たされた場合には、メジャメントの結果の情報を含む信号（メジャメントレポートの信号）を基地局装置Ａへ無線送信して報告する（処理Ｔ２６）。
【００５２】
以上のように、本実施形態に係る通信システムでは、ＣＲＳが全てのサブフレームで送信される既存キャリア（互換キャリア）及び所定数（ここでは、２以上の数）のサブフレームに一度だけＣＲＳが送信される新キャリア（ＮＣＴ）を使用して無線送信する基地局装置１−１〜１−２と、既存キャリア（互換キャリア）及び新キャリア（ＮＣＴ）の受信電力などを測定して当該測定の結果の情報を基地局装置１−１〜１−２へ無線送信する移動局装置２１−１〜２１−ｎ、３１−１〜３１−ｍを有する。
そして、基地局装置１−１〜１−２は、移動局装置２１−１〜２１−ｎ、３１−１〜３１−ｍに対して、周波数バンドを表す情報と、近隣に存在する基地局装置の物理セル識別子（ＰＣＩ）の情報を無線送信する。また、隣接する基地局装置（隣接基地局装置）は、当該基地局装置が送信するキャリアの周波数バンド幅の情報（本実施形態では、ＭＩＢの情報）を無線送信する。このような周波数バンド幅の情報を受信した移動局装置２１−１〜２１−ｎ、３１−１〜３１−ｍは、受信した周波数バンド幅の情報で示されたバンド幅でＣＲＳの受信電力などの計測（メジャメント）を行い、当該計測の結果の情報を隣接基地局装置の物理セル識別子（ＰＣＩ）とともに基地局装置１−１〜１−２へ無線送信する。
ここで、本実施形態に係る通信システムでは、各基地局装置１−１〜１−２は、周波数バンド幅の情報をＭＩＢに含めて、移動局装置２１−１〜２１−ｎ、３１−１〜３１−ｍへ通知する。
本実施形態に係る通信システムでは、基地局装置１−１〜１−２は、周波数バンド幅の情報を、ＲＲＣシグナリングにより、移動局装置２１−１〜２１−ｎ、３１−１〜３１−ｍへ通知する。
【００５３】
従って、本実施形態に係る通信システムによると、ＣＲＳの送信頻度が低いＮＣＴにおけるメジャメントを実施する場合においても、例えば従来と比べて広い周波数帯域を使用して、高精度なメジャメントを実現することができる。このように、本実施形態に係る通信システムによると、割り当てられた周波数スペクトルを有効に利用することができ、柔軟な方法で新たなスペクトル（追加のスペクトル）を利用することができる。
なお、本実施形態に係る通信システムでは、例えば、移動局装置２１−１〜２１−ｎ、３１−１〜３１−ｍにおいて、既存キャリア（互換キャリア）についても、ＮＣＴについても、同様な方法でメジャメントを実施する構成とすることも可能である。
【００５４】
［第３実施形態］
第３実施形態を説明する。
本実施形態では、主に、第１実施形態とは異なる部分について詳しく説明し、第１実施形態と同様な部分については詳しい説明を省略する。
図６は、本実施形態に係る基地局装置Ａと移動局装置Ｂにおいて行われる処理の手順の一例を示すシーケンス図である。
なお、図６に示される（処理Ｔ４１）、（処理Ｔ４２）、（処理Ｔ４５）は、それぞれ、図４に示される（処理Ｔ１）、（処理Ｔ２）、（処理Ｔ５）と同様な処理である。
【００５５】
基地局装置Ａは、移動局装置Ｂに対して、既存キャリア（互換キャリア）と同期するための信号（既存キャリアの同期信号）を無線送信して報知する（処理Ｔ４１）。
基地局装置Ａから無線送信された既存キャリア（互換キャリア）の同期信号を受信した移動局装置Ｂは、基地局装置Ａが送信する信号に関して時間、周波数の同期（既存キャリア（互換キャリア）との時間・周波数の同期）を実施する（処理Ｔ４２）。
この過程において、移動局装置Ｂは、互換キャリアの周波数帯域幅、つまり、本実施形態では周波数リソースのブロック（ＲＢ）の数を判定（判別）する。
【００５６】
このような同期処理が完了すると、同一の周波数バンド・他の周波数バンドを含む隣接セルのメジャメントを実施することが可能である。
基地局装置Ａは、移動局装置Ｂや、その他の移動局装置に対して、共通の報知情報である隣接セルリスト（ＮＣＬ）の情報を含む信号を無線送信して通知する。ここで、ＮＣＬには、隣接セルの周波数バンドの情報や、隣接セルの物理セル識別子（ＰＣＩ）の情報が含められる。更に、本実施形態では、基地局装置Ａは、これらの情報に追加して、ＮＣＬに、隣接セルのＣＳＩ−ＲＳに関する情報を含めて、移動局装置Ｂへ通知する（処理Ｔ４３）。
【００５７】
これにより、基地局装置Ａから移動局装置Ｂに対して、隣接セルリスト（ＮＣＬ）が通知されるのと同時に、各隣接セルで利用されているＣＳＩ−ＲＳに関する情報が通知される。このＣＳＩ−ＲＳに関する情報としては、ＣＳＩ−ＲＳの位置に関する情報が用いられており、具体的には、ＣＳＩ−ＲＳの位置を特定する情報が用いられている。
ここで、第１実施形態では、移動局装置Ｂにより隣接セルの帯域幅を検出するための情報を、サービングセルである互換キャリアを使用して通知する構成としたが、本実施形態では、移動局装置ＢによりＣＳＩ−ＲＳの位置を検出するための情報を、サービングセルである互換キャリアを使用して通知する構成としている。
【００５８】
このようなＮＣＬの情報を含む信号を受信した移動局装置Ｂは、隣接セル（ＮＣＴ）の検出及びメジャメントを実施する（処理Ｔ４４）。
ここで、本実施形態では、移動局装置Ｂは、ＣＳＩ−ＲＳを使用してメジャメントを実施する。なお、移動局装置Ｂは、例えば、ＣＳＩ−ＲＳのみを使用してメジャメントを実施するばかりでなく、ＣＳＩ−ＲＳとＣＲＳの両方を使用してメジャメントを実施してもよい。
【００５９】
具体例として、移動局装置Ｂは、あらかじめ定められた条件に基づいて、ＣＲＳのみを使用してメジャメントを実施する態様と、ＣＳＩ−ＲＳのみを使用してメジャメントを実施する態様と、ＣＳＩ−ＲＳ及びＣＲＳの両方を使用してメジャメントを実施する態様と、のいずれかに切り替えて（いずれかを選択して）、メジャメントを実施することが可能である。
一例として、このような条件として、移動局装置Ｂにおいてメジャメントに使用すべきチャネル（ここでは、ＣＳＩ−ＲＳ及びＣＲＳのうちの一方又は両方）を指定する情報に基づいて、移動局装置Ｂがメジャメントに使用するチャネルを決定する条件を用いることができる。この場合、このような情報は、例えば、ＮＣＬに含められて又はＮＣＬとは別途に、基地局装置Ａから移動局装置Ｂへ無線により送信されて通知される。
他の一例として、このような条件として、移動局装置Ｂにおいてメジャメントに使用するバンド幅が所定の第１の閾値以上である場合には移動局装置ＢがＣＲＳのみ（又は、ＣＳＩ−ＲＳのみ）をメジャメントに使用し、移動局装置Ｂにおいてメジャメントに使用するバンド幅が前記所定の第１の閾値未満である場合には移動局装置ＢがＣＳＩ−ＲＳ及びＣＲＳの両方をメジャメントに使用する条件を用いることができる。この場合、移動局装置Ｂにおいてメジャメントに使用するバンド幅が前記所定の第１の閾値未満である場合には、ＣＳＩ−ＲＳ及びＣＲＳの両方をメジャメントに使用することで、いずれか一方のみを使用する場合と比べて、メジャメントの精度を向上させることが可能である。
【００６０】
移動局装置Ｂは、メジャメントを実施して、基地局装置Ａに対してレポートを報告する条件が満たされた場合には、メジャメントの結果の情報を含む信号（メジャメントレポートの信号）を基地局装置Ａへ無線送信して報告する（処理Ｔ４５）。
【００６１】
図７は、ＬＴＥの下りリンクにおいてＣＳＩ−ＲＳが送信される位置の一例を示す図である。図７において、横軸は時間を表し、縦軸は周波数を表す。
図７には、時間周波数リソースの一例を示してある。
この時間周波数リソース中に示される１単位の四角い枠５０１（図７では、１個のみに符号を付してある）は、変調シンボルの割り当ての単位であり、リソースエレメント（ＲＥ）と呼称される。
この時間周波数リソースは、周波数方向について１リソースブロック（１２個のサブキャリア）で構成されるとともに、時間方向について１サブフレーム（１ｍｓ：１４個のＯＦＤＭシンボル）で構成される。
【００６２】
図７には、この時間周波数リソースにおけるチャネルの割り当ての配置の一例を示してある。つまり、時間周波数リソース中に含まれる各ＲＥがいずれのチャネルに割り当てられるかを示してある。
具体的には、各ＲＥに対して、ＰＤＳＣＨ、ＰＤＣＣＨ、ＣＳＩ−ＲＳ、ＤＭ−ＲＳ、ＣＲＳのうちの１つが割り当てられている。
なお、図７には、基地局装置Ａが送信アンテナ（送信に使用するアンテナ）を４本具備する場合の例を示してある。
【００６３】
また、図７に示されるように、ＣＳＩ−ＲＳは時間方向に隣接する２個のＲＥが対（ペア）となっており、各対にリソースインデックスが付与される。リソースインデックスとしては、例えば、数字の番号（図７の例では、０〜９で、６は無い）が用いられる。
基地局装置Ａが移動局装置Ｂへこのようなリソースインデックスを指示することにより、移動局装置Ｂは、セル毎に異なるＣＳＩ−ＲＳの位置（ＲＥの位置）を特定することができる。
【００６４】
また、ＣＳＩ−ＲＳは、式（１）を満たすＰ番目のサブフレームを使用して送信される。
ここで、ＱはＣＳＩ−ＲＳの送信周期であり（例えば、Ｑは、５ｍｓ又は１０ｍｓなどに対応するサブフレームの個数）、Ｒはサブフレームオフセットと呼ばれるオフセット（例えば、サブフレームの個数）である。「Ｐ  ｍｏｄ  Ｑ」はＰをＱで割ったときのＱ未満の余り（Ｒ）を表す。
【００６５】
［数１］
Ｐ  ｍｏｄ  Ｑ＝Ｒ    ・・（１）
【００６６】
この場合、基地局装置Ａから移動局装置Ｂへ、送信周期Ｑの情報とともに、送信のサブフレームオフセットＲの情報も通知しなければ、移動局装置ＢはＣＳＩ−ＲＳの位置を特定することができない。このため、図６に示される（処理Ｔ４３）では、基地局装置Ａから移動局装置Ｂへ、ＮＣＬで通知されるＰＣＩとともに、隣接セルのＣＳＩ−ＲＳに関する情報として、ＣＳＩ−ＲＳの送信周期Ｑの情報、送信のサブフレームオフセットＲの情報、及び、リソースインデックスの情報を通知する。
【００６７】
ここで、ＣＳＩ−ＲＳについて指定するリソースインデックスの数としては、１個でなくてもよく、２個以上の複数であってもよい。
図８は、ＣＳＩ−ＲＳについて複数（図８の例では、２個）のリソースインデックスを指定する場合の一例を示す図である。
図８には、図７に示されるものと同様な時間周波数リソースを示してある。そして、図８には、リソースインデックスが５であるＣＳＩ−ＲＳとリソースインデックスが７であるＣＳＩ−ＲＳを基地局装置Ａが移動局装置Ｂに指定する場合を示してある。
移動局装置Ｂは、これら複数のリソース（ここでは、ＣＳＩ−ＲＳ）を使用してメジャメントを実施することにより、例えば、１個のリソース（ここでは、ＣＳＩ−ＲＳ）のみを使用してメジャメントを実施する場合と比べて、メジャメントの精度を向上させることが可能となる。
【００６８】
また、ＣＳＩ−ＲＳについて指定するサブフレームオフセットの数としては、１個でなくてもよく、２個以上の複数であってもよい。
図９は、ＣＳＩ−ＲＳについて複数（図９の例では、２個）のサブフレームオフセットを指定する場合の一例を示す図である。
図９には、連続する２個のサブフレームについて、図７に示されるものと同様な時間周波数リソースを示してある。そして、図９には、サブフレームオフセットＲとしてＲ＝Ｖ及びＲ＝Ｖ＋１（Ｖは０以上の整数）を基地局装置Ａが移動局装置Ｂに指定する場合を示してある。また、図９には、リソースインデックスが５であるＣＳＩ−ＲＳを基地局装置Ａが移動局装置Ｂに指定する場合を示してある。
ここで、図９には、ｋ番目のサブフレーム及びｋ＋１番目のサブフレーム（ｋは０以上の整数）を示してあり、式（２）が成立するとする。
移動局装置Ｂは、これら複数のサブフレームのリソース（ここでは、ＣＳＩ−ＲＳ）を使用してメジャメントを実施することにより、例えば、１個のサブフレームのリソース（ここでは、ＣＳＩ−ＲＳ）のみを使用してメジャメントを実施する場合と比べて、メジャメントの精度を向上させることが可能となる。
【００６９】
［数２］
ｋ  ｍｏｄ  Ｑ＝Ｖ  及び  ｋ＋１  ｍｏｄ  Ｑ＝Ｖ＋１    ・・（２）
【００７０】
なお、ＣＳＩ−ＲＳについて、複数のリソースインデックスを指定する方法と、複数のサブフレームオフセットを指定する方法の両方を用いることも可能である。
また、処理Ｔ４４に関するメジャメントでは、隣接セルの検出を目的とした説明を行ったが、同様の方法をサービングセルのメジャメントに適用することも可能である。つまり、複数のリソースインデックスを指定する方法と、複数のサブフレームオフセットを指定する方法のいずれか、または両方を利用することで、サービングセルの受信電力（ＲＳＲＰ）もしくは受信品質（ＲＳＲＱ）の精度を向上させ、より適切な接続セル選択が可能となる。
また、ＣＳＩ−ＲＳについて、Ｗ（Ｗは２以上の整数）個のリソースインデックスを指定する方法と、Ｗ個のサブフレームオフセットを指定する方法とで、それぞれ、概略的には、同様な効果を得ることができる。
【００７１】
以上のように、本実施形態に係る通信システムでは、ＣＲＳが全てのサブフレームで送信される既存キャリア（互換キャリア）及び所定数（ここでは、２以上の数）のサブフレームに一度だけＣＲＳが送信される新キャリア（ＮＣＴ）を使用して無線送信する基地局装置１−１〜１−２と、既存キャリア（互換キャリア）及び新キャリア（ＮＣＴ）の受信電力などを測定して当該測定の結果の情報を基地局装置１−１〜１−２へ無線送信する移動局装置２１−１〜２１−ｎ、３１−１〜３１−ｍを有する。
そして、基地局装置１−１〜１−２は、移動局装置２１−１〜２１−ｎ、３１−１〜３１−ｍに対して、周波数バンドを表す情報と、近隣に存在する基地局装置の物理セル識別子（ＰＣＩ）の情報と、前記基地局装置が送信するキャリアのＣＳＩ−ＲＳの位置に関する情報（本実施形態では、ＮＣＬの情報）を無線送信する。このようなＣＳＩ−ＲＳの位置に関する情報を受信した移動局装置２１−１〜２１−ｎ、３１−１〜３１−ｍは、受信したＣＳＩ−ＲＳの位置に関する情報で示されたＣＳＩ−ＲＳ（更に、ＣＲＳを使用してもよい）の受信電力などの計測（メジャメント）を行い、当該計測の結果の情報を隣接基地局装置の物理セル識別子（ＰＣＩ）とともに基地局装置１−１〜１−２へ無線送信する。
ここで、本実施形態に係る通信システムでは、基地局装置１−１〜１−２は、ＣＳＩ−ＲＳの位置に関する情報を隣接セルリスト（ＮＣＬ）に含めて、移動局装置２１−１〜２１−ｎ、３１−１〜３１−ｍへ通知する。
【００７２】
従って、本実施形態に係る通信システムによると、ＣＲＳの送信頻度が低いＮＣＴにおけるメジャメントを実施する場合においても、ＣＳＩ−ＲＳを使用して、高精度なメジャメントを実現することができる。このように、本実施形態に係る通信システムによると、割り当てられた周波数スペクトルを有効に利用することができ、柔軟な方法で新たなスペクトル（追加のスペクトル）を利用することができる。
【００７３】
［以上の実施形態に関する構成例］
一構成例として、既存のキャリア及び追加のキャリアを使用して無線により通信する無線通信部（以上の実施形態では、無線通信部１２２）と、隣接セルリスト（ＮＣＬ）に含めて、近隣に存在する他の基地局装置が送信するキャリアの周波数バンド幅の情報を、前記無線通信部により、端末装置（以上の実施形態では、移動局装置２１−１〜２１−ｎ、３１−１〜３１−ｍ）へ無線により送信するキャリア情報送信制御部（以上の実施形態では、キャリア情報送信制御部３０１）と、を備えることを特徴とする基地局装置（以上の実施形態では、基地局装置１−１〜１−２）である。
なお、端末装置としては、例えば、移動局装置以外の装置が用いられてもよい。
【００７４】
他の一構成例として、既存のキャリア及び追加のキャリアを使用して無線により通信する無線通信部（以上の実施形態では、無線通信部１２２）と、ＭＩＢに含めて、自装置が送信するキャリアの周波数バンド幅の情報を、前記無線通信部により、端末装置（以上の実施形態では、移動局装置２１−１〜２１−ｎ、３１−１〜３１−ｍ）へ無線により送信するキャリア情報送信制御部（以上の実施形態では、キャリア情報送信制御部３０１）と、を備えることを特徴とする基地局装置（以上の実施形態では、基地局装置１−１〜１−２）である。
なお、端末装置としては、例えば、移動局装置以外の装置が用いられてもよい。
【００７５】
更に他の一構成例として、既存のキャリア及び追加のキャリアを使用して無線により通信する無線通信部（以上の実施形態では、無線通信部１２２）と、隣接セルリスト（ＮＣＬ）に含めて、近隣に存在する他の基地局装置が送信するキャリアのＣＳＩ−ＲＳの位置に関する情報を、前記無線通信部により、端末装置（以上の実施形態では、移動局装置２１−１〜２１−ｎ、３１−１〜３１−ｍ）へ無線により送信するキャリア情報送信制御部（以上の実施形態では、キャリア情報送信制御部３０１）と、を備えることを特徴とする基地局装置（以上の実施形態では、基地局装置１−１〜１−２）である。
なお、端末装置としては、例えば、移動局装置以外の装置が用いられてもよい。
【００７６】
一構成例として、既存のキャリア及び追加のキャリアを使用して無線により通信する無線通信部（以上の実施形態では、無線通信部１０２）と、前記無線通信部により基地局装置（以上の実施形態では、基地局装置１−１〜１−２）から受信される隣接セルリスト（ＮＣＬ）に含まれる、近隣に存在する他の基地局装置が送信するキャリアの周波数バンド幅の情報に基づいて、当該周波数バンド幅を使用してメジャメントを行うメジャメント制御部（以上の実施形態では、メジャメント制御部２０１）と、を備えることを特徴とする端末装置（以上の実施形態では、移動局装置２１−１〜２１−ｎ、３１−１〜３１−ｍ）である。
なお、端末装置としては、例えば、移動局装置以外の装置が用いられてもよい。
【００７７】
他の一構成例として、既存のキャリア及び追加のキャリアを使用して無線により通信する無線通信部（以上の実施形態では、無線通信部１０２）と、前記無線通信部により基地局装置（以上の実施形態では、基地局装置１−１〜１−２）から受信されるＭＩＢに含まれる、当該基地局装置が送信するキャリアの周波数バンド幅の情報に基づいて、当該周波数バンド幅を使用してメジャメントを行うメジャメント制御部（以上の実施形態では、メジャメント制御部２０１）と、を備えることを特徴とする端末装置（以上の実施形態では、移動局装置２１−１〜２１−ｎ、３１−１〜３１−ｍ）である。
なお、端末装置としては、例えば、移動局装置以外の装置が用いられてもよい。
【００７８】
更に他の一構成例として、既存のキャリア及び追加のキャリアを使用して無線により通信する無線通信部（以上の実施形態では、無線通信部１０２）と、前記無線通信部により基地局装置（以上の実施形態では、基地局装置１−１〜１−２）から受信される隣接セルリスト（ＮＣＬ）に含まれる、近隣に存在する他の基地局装置が送信するキャリアのＣＳＩ−ＲＳの位置に関する情報に基づいて、ＣＳＩ−ＲＳを使用してメジャメントを行うメジャメント制御部（以上の実施形態では、メジャメント制御部２０１）と、を備えることを特徴とする端末装置（以上の実施形態では、移動局装置２１−１〜２１−ｎ、３１−１〜３１−ｍ）である。
なお、端末装置としては、例えば、移動局装置以外の装置が用いられてもよい。
【００７９】
一構成例として、複数の基地局装置と端末装置を有し、前記基地局装置は、隣接セルリスト（ＮＣＬ）に含めて、近隣に存在する他の基地局装置が送信するキャリアの周波数バンド幅の情報を、前記端末装置へ無線により送信し、前記端末装置は、前記基地局装置から受信される隣接セルリストに含まれる、近隣に存在する他の基地局装置が送信するキャリアの周波数バンド幅の情報に基づいて、当該周波数バンド幅を使用してメジャメントを行う、ことを特徴とする通信システム（以上の実施形態では、図１に示されるような通信システム）である。
【００８０】
他の一構成例として、複数の基地局装置と端末装置を有し、前記基地局装置は、ＭＩＢに含めて、自装置が送信するキャリアの周波数バンド幅の情報を、前記端末装置へ無線により送信し、前記端末装置は、前記基地局装置から受信されるＭＩＢに含まれる、当該基地局装置が送信するキャリアの周波数バンド幅の情報に基づいて、当該周波数バンド幅を使用してメジャメントを行う、ことを特徴とする通信システム（以上の実施形態では、図１に示されるような通信システム）である。
【００８１】
更に他の一構成例として、複数の基地局装置と端末装置を有し、前記基地局装置は、隣接セルリスト（ＮＣＬ）に含めて、近隣に存在する他の基地局装置が送信するキャリアのＣＳＩ−ＲＳの位置に関する情報を、前記端末装置へ無線により送信し、前記端末装置は、前記基地局装置から受信される隣接セルリストに含まれる、近隣に存在する他の基地局装置が送信するキャリアのＣＳＩ−ＲＳの位置に関する情報に基づいて、ＣＳＩ−ＲＳを使用してメジャメントを行う、ことを特徴とする通信システム（以上の実施形態では、図１に示されるような通信システム）である。
【００８２】
一構成例として、基地局装置は、隣接セルリスト（ＮＣＬ）に含めて、近隣に存在する他の基地局装置が送信するキャリアの周波数バンド幅の情報を、端末装置へ無線により送信し、前記端末装置は、前記基地局装置から受信される隣接セルリストに含まれる、近隣に存在する他の基地局装置が送信するキャリアの周波数バンド幅の情報に基づいて、当該周波数バンド幅を使用してメジャメントを行う、ことを特徴とする通信方法（以上の実施形態では、図１に示されるような通信システムにおいて行われる通信の方法）である。
【００８３】
他の一構成例として、基地局装置は、ＭＩＢに含めて、自装置が送信するキャリアの周波数バンド幅の情報を、端末装置へ無線により送信し、前記端末装置は、前記基地局装置から受信されるＭＩＢに含まれる、当該基地局装置が送信するキャリアの周波数バンド幅の情報に基づいて、当該周波数バンド幅を使用してメジャメントを行う、ことを特徴とする通信方法（以上の実施形態では、図１に示されるような通信システムにおいて行われる通信の方法）である。
【００８４】
更に一構成例として、基地局装置は、隣接セルリスト（ＮＣＬ）に含めて、近隣に存在する他の基地局装置が送信するキャリアのＣＳＩ−ＲＳの位置に関する情報を、端末装置へ無線により送信し、前記端末装置は、前記基地局装置から受信される隣接セルリストに含まれる、近隣に存在する他の基地局装置が送信するキャリアのＣＳＩ−ＲＳの位置に関する情報に基づいて、ＣＳＩ−ＲＳを使用してメジャメントを行う、ことを特徴とする通信方法（以上の実施形態では、図１に示されるような通信システムにおいて行われる通信の方法）である。
【００８５】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００８６】
また、以上に示した各実施形態に係る各装置（例えば、基地局装置や移動局装置）の機能を実現するためのプログラムをコンピュータ読み取り可能な記録媒体に記録して、この記録媒体に記録されたプログラムをコンピュータシステムに読み込ませ、実行することにより、処理を行ってもよい。
【００８７】
なお、ここで言う「コンピュータシステム」とは、オペレーティング・システム（Ｏｐｅｒａｔｉｎｇ  Ｓｙｓｔｅｍ；ＯＳ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【００８８】
更に、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。更に、前述した機能をコンピュータシステムに既に記録されているプログラムとの組み合わせで実現できるもの、いわゆる差分ファイル（差分プログラム）であっても良い。
【符号の説明】
【００８９】
１、１−１〜１−２…基地局装置、３−１〜３−３…回線、１１−１〜１１−２…セル（通信領域）、２１、２１−１〜２１−ｎ、３１−１〜３１−ｍ…移動局装置、１０１、１２１…アンテナ、１０２、１２２…無線通信部、１０３…入力部、１０４…出力部、１０５、１２４…記憶部、１０６、１２５…制御部、１２３…通信部、２０１…メジャメント制御部、３０１…キャリア情報送信制御部、５０１…リソースエレメント、１００１…互換キャリア、１００２…ＮＣＴ
【図１】
2014138319.tif 000003
【図２】
2014138319.tif 000004
【図３】
2014138319.tif 000005
【図４】
2014138319.tif 000006
【図５】
2014138319.tif 000007
【図６】
2014138319.tif 000008
【図７】
2014138319.tif 000009
【図８】
2014138319.tif 000010
【図９】
2014138319.tif 000011
【図１０】
2014138319.tif 000012